(57)【特許請求の範囲】
【請求項１】
薄板状のディスプレイパネルとスピーカーとを備えるテレビジョン装置であって、
前記スピーカーは、振動する薄板状の振動板と、前記振動板に連結されたエキサイターとを含んで構成され、
前記振動板は左右方向に延在する幅を有し、前記エキサイターは前記振動板の幅方向の一方の端部寄りに設けられ、
前記スピーカーは２つ設けられ、前記ディスプレイパネルの後方で前記ディスプレイパネルの左右にそれぞれ配置され、
前記各スピーカーは、前記ディスプレイパネルの正面から前記ディスプレイパネルを見た場合に、前記エキサイターが設けられた前記振動板の幅方向の前記一方の端部寄り箇所が前記ディスプレイパネルの輪郭内に位置し、前記振動板の幅方向の他方の端部が前記ディスプレイパネルの輪郭外に突出するように配置され、
かつ、前記振動板は、前記一方の端部よりも前記他方の端部が前方に位置するように前記ディスプレイパネルに対して傾斜して設けられている、
ことを特徴とするテレビジョン装置。
【請求項２】
薄板状のディスプレイパネルとスピーカーとを備えるテレビジョン装置であって、
前記スピーカーは、振動する薄板状の振動板と、前記振動板に連結されたエキサイターとを含んで構成され、
前記振動板は左右方向に延在する幅と上下方向に延在する高さを有し、
前記エキサイターは前記振動板の高さ方向の一方の端部寄りに設けられ、
前記スピーカーは２つ設けられ、前記ディスプレイパネルの後方で前記ディスプレイパネルの上部または下部に左右に並べて配置され、
前記各スピーカーは、前記ディスプレイパネルの正面から前記ディスプレイパネルを見た場合に、前記エキサイターが設けられた前記振動板の高さ方向の前記一方の端部寄り箇所が前記ディスプレイパネルの輪郭内に位置し、前記振動板の高さ方向の他方の端部が前記ディスプレイパネルの輪郭外に突出するように配置され、
かつ、前記振動板は、前記ディスプレイパネルの中央寄りに位置する前記幅方向の端部よりも幅方向の他方の端部が前方に位置するように前記ディスプレイパネルに対して傾斜して設けられている、
ことを特徴とするテレビジョン装置。
【請求項３】
前記ディスプレイパネルの厚さ方向の一方の面が表示面として形成され、他方の面が背面となっており、
前記ディスプレイパネルは前記背面を覆うフレームで支持され、
前記ディスプレイパネルの背面に位置する前記フレーム箇所にブラケットが突設され、
前記スピーカーは前記ブラケットで支持されている、
ことを特徴とする請求項１または２記載のテレビジョン装置。
【請求項４】
前記ディスプレイパネルはスタンドで支持されていることを特徴とする請求項１または２記載のテレビジョン装置。
【請求項５】
前記ディスプレイパネルを支持するスタンドが設けられ、前記スタンドに前記ディスプレイパネルを上下に揺動可能に支持する上下揺動機構が設けられていることを特徴とする請求項１または２記載のテレビジョン装置。
【請求項６】
前記振動板は前記ディスプレイパネルと同一の寸法の高さを有し、
前記各スピーカーは、前記ディスプレイパネルの正面から前記ディスプレイパネルを見た場合に、前記ディスプレイパネルの上下の縁に対して前記振動板の上下の縁が上下方向において同一の箇所となるように配置されていることを特徴とする請求項１記載のテレビジョン装置。
【請求項７】
前記振動板は透明な材料で形成されていることを特徴とする請求項１または２記載のテレビジョン装置。
【請求項８】
前記ディスプレイパネルの厚さ方向の一方の面が表示面として形成され、他方の面が背面となっており、
前記ディスプレイパネルの前記背面を覆うフレームが設けられ、
前記ディスプレイパネルと前記フレームと前記ディスプレイパネルを駆動して前記表示面に画像を表示させるディスプレイ駆動回路とでディスプレイ装置が構成されている、
ことを特徴とする請求項１または２記載のテレビジョン装置。
【発明の詳細な説明】
【技術分野】
【０００１】
本発明はテレビジョン装置に関する。
【背景技術】
【０００２】
近年、液晶ディスプレイ、プラズマディスプレイ、あるいは、有機エレクトロルミネッセンス（有機ＥＬ）ディスプレイなどの薄板状を呈するディスプレイパネルと、音響を出力するスピーカーと、ディスプレイおよびスピーカーを収容する筐体とを備えるテレビジョン装置が提供されている。
このようなテレビジョン装置では、多くの場合、ディスプレイパネルの左右両側の筐体部分に、あるいは、下側の筐体部分にスピーカーが組み込まれている（特許文献１参照）。
【特許文献１】特開２００５−１６５３５０号公報
【発明の開示】
【発明が解決しようとする課題】
【０００３】
このような従来のテレビジョン装置は、筐体の内部でディスプレイパネルの左右両側や下側にスピーカーが組み込まれる関係上、テレビジョン装置のデザインが制約を受け、デザイン性や美観を高める上で限界があった。
本発明は、このような事情に鑑みなされたもので、その目的は、テレビジョン装置のデザイン性や美観を向上する上で有利なテレビジョン装置を提供することにある。
【課題を解決するための手段】
【０００４】
上記目的を達成するために、本発明は、薄板状のディスプレイパネルとスピーカーとを備えるテレビジョン装置であって、前記スピーカーは、振動する薄板状の振動板と、前記振動板に連結されたエキサイターとを含んで構成され、前記振動板は左右方向に延在する幅を有し、前記エキサイターは前記振動板の幅方向の一方の端部寄りに設けられ、前記スピーカーは２つ設けられ、前記ディスプレイパネルの後方で前記ディスプレイパネルの左右にそれぞれ配置され、前記各スピーカーは、前記ディスプレイパネルの正面から前記ディスプレイパネルを見た場合に、前記エキサイターが設けられた前記振動板の幅方向の前記一方の端部寄り箇所が前記ディスプレイパネルの輪郭内に位置し、前記振動板の幅方向の他方の端部が前記ディスプレイパネルの輪郭外に突出するように配置され、かつ、前記振動板は、前記一方の端部よりも前記他方の端部が前方に位置するように前記ディスプレイパネルに対して傾斜して設けられていることを特徴とする。
また、本発明は、薄板状のディスプレイパネルとスピーカーとを備えるテレビジョン装置であって、前記スピーカーは、振動する薄板状の振動板と、前記振動板に連結されたエキサイターとを含んで構成され、前記振動板は左右方向に延在する幅と上下方向に延在する高さを有し、前記エキサイターは前記振動板の高さ方向の一方の端部寄りに設けられ、前記スピーカーは２つ設けられ、前記ディスプレイパネルの後方で前記ディスプレイパネルの上部または下部に左右に並べて配置され、前記各スピーカーは、前記ディスプレイパネルの正面から前記ディスプレイパネルを見た場合に、前記エキサイターが設けられた前記振動板の高さ方向の前記一方の端部寄り箇所が前記ディスプレイパネルの輪郭内に位置し、前記振動板の高さ方向の他方の端部が前記ディスプレイパネルの輪郭外に突出するように配置され、かつ、前記振動板は、前記ディスプレイパネルの中央寄りに位置する前記幅方向の端部よりも幅方向の他方の端部が前方に位置するように前記ディスプレイパネルに対して傾斜して設けられていることを特徴とする。
【発明の効果】
【０００５】
本発明によれば、ディスプレイパネルの左右でディスプレイパネルの後方に離れた箇所にスピーカーが配置されているので、従来と異なった趣が生じ、新たなデザインおよび新たな美観を備えたテレビジョン装置が得られ、テレビジョン装置の購買力を高める上で有利となる。
また、エキサイターが設けられた振動板の一方の端部寄り箇所がディスプレイパネルの輪郭内に位置しているため、エキサイターと振動板の取り付け箇所がディスプレイパネルの前方に位置する使用者から隠され、デザイン性および美観を高める上で有利となる。
また、振動板は、エキサイターが設けられた振動板の一方の端部よりも他方の端部が前方に位置するようにディスプレイパネルに対して傾斜して設けられているので、振動板とフレーム箇所とが平行をなして配置されている場合と違って、振動板とフレーム箇所との間で音響が反響して定在波成分が発生し、この定在波成分がディスプレイパネルの前方に伝達されることがなく、明瞭な音質の音響を得る上で有利となる。
【発明を実施するための最良の形態】
【０００６】
（第１の実施の形態）
以下、本発明によるテレビジョン装置１０の実施の形態を図面に基づいて詳細に説明する。
図１は第１の実施の形態のテレビジョン装置１０の全体構成を示す斜視図である。
図１に示すように、テレビジョン装置１０は、ディスプレイ装置１２と、スピーカー４０と、ディスプレイ装置１２を支持するスタンド２０とを備えている。
【０００７】
まず、ディスプレイ装置１２から説明する。
図１に示すように、ディスプレイ装置１２は、薄板状のディスプレイパネル１２０２と、フレーム１２０４と、ディスプレイ駆動回路１２１０（図１１参照）を備えている。
ディスプレイパネル１２０２の厚さ方向の一方の面は表示面として形成され、他方の面が背面となっている。
フレーム１２０４は薄板で形成され、ディスプレイパネル１２０２の表示面の上下左右の縁部および背面を覆うように設けられ、ディスプレイパネル１２０２を支持している。
本実施の形態では、ディスプレイパネル１２０２は有機ＥＬディスプレイを用いて構成されている。なお、ディスプレイパネル１２０２はプラズマディスプレイや液晶ディスプレイなどを用いて構成されたものであってもよい。
【０００８】
次に、スタンド２０について説明する。
図１に示すように、スタンド２０は、基台２２と、支柱２４と、アーム２６と、錘２８とを備えている。
支柱２４は基台２２から上方に突設され、アーム２６はその延在方向の中間部が支柱２４の先端で支持され、ディスプレイ装置１２はアーム２６の先端で支持され、錘２８はアーム２６の後端に連結されている。
【０００９】
基台２２は、フレームとこのフレームを覆うカバー２２０２とで構成されている。
フレームの上部には、鉛直軸を中心に旋回可能にかつ上下方向に揺動可能に支持された半球面状の支持体３０が設けられ、支持体３０はカバー２２０２の上面から上方に露出し、支柱２４はこの支持体３０から突設され、本実施の形態では、支柱２４は互いに平行して延在する２本のロッド２４０２で構成されている。
なお、フレームと支持体３０との間には、従来公知の旋回機構、上下揺動機構や支持体３０の旋回状態および上下揺動状態を維持するための摩擦機構が設けられ、したがって、使用者がディスプレイ装置１２をあるいは支柱２４を所望の姿勢に旋回あるいは上下揺動させたのち手を離すと、その姿勢が維持されるように支持体３０はフレームで保持される。
【００１０】
図２は支柱２４とアーム２６の結合部分の側面図、図３は図２のＥ矢視図、図４は図３のＦＦ線断面図、図５は図３のＧＧ線断面図である。
図４、図５に示すように、支柱２４とアーム２６との結合箇所に、支柱２４に対してアーム２６を上下揺動可能に支持する上下揺動機構３３と、ねじりコイルばね３２と、支柱２４に対してアーム２６が上下揺動された状態を摩擦力により維持する摩擦機構３４が設けられている。
ねじりコイルばね３２は、ディスプレイ装置１２の重量に基づいて支柱２４に作用する回転モーメントと、錘２８の重量に基づいて支柱２４に作用する回転モーメントとを釣り合わせるものであり、支柱２４とアーム２６との結合箇所において、錘２８の重量により生じる回転モーメントと協働してねじりコイルばね３２の弾性力により生じる回転モーメントを、ディスプレイ装置１２の重量とアーム２６の重量により生じる回転モーメントに対抗させている。
【００１１】
図２乃至図５に示すように、２本のロッド２４０２の先端に互いに対向するようにブラケット２４０４、２４０６が設けられ、それらブラケット２４０４、２４０６間に雄ねじ部材２４０８が挿通され、アーム２６の中間部から突設され摩擦係数の大きい材料からなる筒状部材２６０２がブラケット２４０４、２４０６に挟まれ雄ねじ部材２４０８の軸部に回転可能に支持され、上下揺動機構３３を構成している。
筒状部材２６０２は、雄ねじ部材２４０８の軸部が挿通される内筒部２６０４と、この内筒部２６０４の半径方向外側に位置する外筒部２６０６とを備え、外筒部２６０６の外径はブラケット２４０４、２４０６とほぼ同一の寸法で形成されている。
そして、内筒部２６０４と外筒部２６０６との間の環状の空間に、ねじりコイルばね３２が配設され、ねじりコイルばね３２の一端３２０２がブラケット２４０４に係止され、ねじりコイルばね３２の他端３２０４は、図４に点線矢印で示すようにねじりコイルばね３２のコイル部の付勢力に抗して変位され筒状部材２６０２の壁面に係止され、ねじりコイルばね３２の弾性力は雄ねじ部材２４０８の周方向において、支柱２４とアーム２６とにわたって作用している。
また、雄ねじ部材２４０８の弛緩緊締によりブラケット２４０４、２４０６間で筒状部材２６０２を締め付ける力が調整され、すなわちブラケット２４０４、２４０６と筒状部材２６０２の間に生じる摩擦力が調整され、支柱２４に対してアーム２６が上下に揺動された状態が維持される摩擦機構３４が構成されている。
なお、摩擦機構３４は上述の構成に限定されず、従来公知の様々な構造が採用可能であり、本実施の形態では、摩擦機構３４を構成する雄ねじ部材２４０８、ブラケット２４０４、２４０６、筒状部材２６０２は上下揺動機構３３の構成部材を兼用している。
したがって、使用者がアーム２６をあるいはディスプレイ装置１２を把持して、ディスプレイ装置１２が所望の位置となるように揺動させ手を離すと、ねじりコイルばね３２、錘２８、摩擦機構３４により、ディスプレイ装置１２はその動かされた位置や姿勢でスタンド２０によって保持される。
【００１２】
図６はディスプレイ装置１２の背面を示す斜視図、図７は図６のＡ矢視図、図８は揺動機構３６の構成を示す断面図である。
図６、図７に示すように、アーム２６の先端とディスプレイ装置１２との結合箇所には上下揺動機構３６および摩擦機構３８が設けられ、上下揺動機構３６によりディスプレイ装置１２がアーム２６の先端に対して鉛直面内で上下に揺動可能に連結され、摩擦機構３８により、揺動されたディスプレイ装置１２の姿勢が保持されるように構成されている。
図８に示すように、上下揺動機構３６は、ディスプレイ装置１２の背面に取着される第１の部材３６Ａと、スタンド２０（アーム２６）の先端に取着され第１の部材３６Ａに雄ねじ部材３６０６を中心に上下に揺動可能に連結される第２の部材３６Ｂとを含んで構成されている。
摩擦機構３８は、アーム２６の先端に対してディスプレイ装置１２を揺動させた際にこの揺動された状態を摩擦力を用いて保持するように構成されている。
この摩擦機構３８は、一対の挟持板３６０２と、これら挟持板３６０２に挟まれる筒状の摩擦板３６０４と、一対の挟持板３６０２から摩擦板３６０４に挿通され、それら挟持板３６０２間の距離を調節するための上記の雄ねじ部材３６０６などを含んで構成され、雄ねじ部材３６０６の弛緩緊締により挟持板３６０２による摩擦板３６０４の締め付け力が調整され、すなわち挟持板３６０２と摩擦板３６０４の間に生じる摩擦力が調整され、アーム２６に対してディスプレイ装置１２が上下に揺動された状態が保持されるように構成されている。
なお、一対の挟持板３６０２は第１の部材３６Ａに設けられ、摩擦板３６０４は第２の部材３６Ｂに設けられている。なお、上下揺動機構３６は上述の構成に限定されず、従来公知の様々な構造が採用可能であり、本実施の形態では、摩擦機構３８を構成する一対の挟持板３６０２や摩擦板３６０４、雄ねじ部材３６０６が上下揺動機構３６の構成部材を兼用している。
【００１３】
図１に示すように、カバー２２０２の内側には信号ボックス７０が収容されている。
信号ボックス７０は、放送局から受信した電波、あるいは、外部装置から供給される映像信号および音声信号に基づいて、テレビジョン装置１０のディスプレイパネル１２０２に画像を表示させるとともに、スピーカー４０から音響を出力させるものである。
図１１は信号ボックス７０の構成を示すブロック図である。
信号ボックス７０は、受信回路７００２、切り換え回路７００４、画像信号処理回路７００６、音声信号処理回路７００８、リモコン受信回路７０１０、制御回路７０１２などを含んで構成され、信号ボックス７０は、信号ボックス７０とは別に設けられた操作部７２および外部入力端子７４と接続されている。
操作部７２は、ユーザーが操作することでテレビジョン装置１０による放送の視聴にまつわる種々の操作や設定を行うためのものであり、例えば、選局用ボタン、音量調整用ボタン、入力切り換え用ボタンなどを含み、操作部７２は、例えば、カバー２２５６の外面箇所に設けられている。
外部入力端子７４は、ＤＶＤプレーヤーやビデオデッキなどの外部装置から供給される画像信号および音声信号を入力する端子であり、例えば、カバー２２５６の外面箇所に設けられている。
受信回路７００２は、制御回路７０１０からの指令に基づいて選局を行い、アンテナ７００１から受信したテレビジョン信号を復調して画像信号と音声信号に分離して出力する。
切り換え回路７００４は、受信回路７００２から供給される画像信号および音声信号と、前記外部装置から外部入力端子７４を介して供給される画像信号および音声信号とを切り換えて画像信号処理回路７００６および音声信号処理回路７００８に供給する。
画像信号処理回路７００６は、前記画像信号に対して必要な信号処理を行い、ディスプレイ装置１２を駆動するための駆動信号を生成し、ディスプレイ装置１２に供給する。
音声信号処理回路７００８は、前記音声信号に対して必要な信号処理および増幅処理を行なってスピーカー４０に供給する。これによりスピーカー４０から音響が発生される。
リモコン受信回路７０１０は、テレビジョン装置１０とは別に設けられたリモコン送信機７６から送信される選局、音量調整、入力切り換えなど各種動作を指令する制御コマンドを無線信号（赤外線信号）によって受信し、その受信した制御コマンドを制御回路７０１２に供給する。
制御回路７０１２は、操作部７２の操作に基づいて、あるいは、リモコン受信回路７０１０から供給される前記制御コマンドに基づいて、受信回路７００２の選局制御、切り換え回路７００４の画像信号および音声信号の切り換え制御、画像信号処理回路７００６、音声信号処理回路７００８の制御などを行う。
また、ディスプレイ装置１２に設けられたディスプレイ駆動回路１２１０は、画像信号処理回路７００６から供給される前記駆動信号に基づいてディスプレイパネル１２０２を駆動することで、表示面１２０４に画像を表示させる。
【００１４】
次に、スピーカー４０について説明する。
図６、図７に示すように、スピーカー４０は、振動する薄板状の振動板４２と、振動板４２に連結されたエキサイター４４とを含んで構成され、いわゆる平面スピーカーあるいはフラットパネルスピーカーと呼ばれるものであり、市販品が使用可能であり、本実施の形態ではスピーカー４０は２つ設けられている。
振動板４２は本実施の形態では薄板で矩形に形成され、左右方向に延在する幅と、上下方向に延在する高さを有し、この高さはディスプレイパネル１２０２の高さと同一の寸法に形成されている。
本実施の形態では、振動板４２は透明な材料、例えば、合成樹脂材料で形成されている。
【００１５】
図９（Ａ）は振動板４２に対するエキサイター４４の取り付け構造を示す斜視図、（Ｂ）は（Ａ）の拡大図である。
エキサイター４４は、振動板４２の幅方向の一方の端部寄りに設けられ、振動板４２の一方の端部から幅方向の中間部に向かって直線状に延在している。
エキサイター４４は、音声信号処理回路７００８から供給される音声信号に基づいて振動板４２を振動させることで、振動板４２からその厚さ方向に音響を発生させるものである。
【００１６】
図６、図７に示すように、ディスプレイパネル１２０２の背面に位置するフレーム１２０４箇所にブラケット４６が突設され、スピーカー４０はブラケット４６で支持されている。
図７に示すように、ブラケット４６は、フレーム１２０４から後方に突設された基部４６０２と、基部４６０２の先端から屈曲されディスプレイパネル１２０２の幅方向に沿って延在する帯板状の支持片４６０４とを有し、図７、図９（Ｂ）に示すように、振動板４２は、ねじ４６１２がワッシャ４６１０を介して振動板４２に設けられたねじ挿通孔を挿通し支持片４６０４のねじ孔に螺合することによって支持片４６０４に取着されている。
図６に示すように、エキサイター４４には、エキサイター４４を保護するカバー４４１０が着脱可能に装着されている。
【００１７】
図１０はディスプレイ装置１２およびスピーカー４０の正面図である。
図１０に示すように、２つのスピーカー４０は、ディスプレイパネル１２０２の後方に離間した箇所でディスプレイパネル１２０２の左右にそれぞれ配置されている。
各スピーカー４０は、ディスプレイパネル１２０２の正面からディスプレイパネル１２０２を見た場合に、エキサイター４４が設けられた振動板４２の一方の端部寄り箇所がディスプレイパネル１２０２の輪郭内に位置し、振動板４２の幅方向の両端のうちの他方の端部がディスプレイパネル１２０２の輪郭外に突出するように配置されている。
図７に示すように、振動板４２は、エキサイター４４が設けられた一方の端部よりも他方の端部が前方に位置するようにディスプレイパネル１２０２に対して傾斜して設けられている。
また、各スピーカー４０は、ディスプレイパネル１２０２の正面からディスプレイパネル１２０２を見た場合に、ディスプレイパネル１２０２の上下の縁に対して振動板４２の上下の縁が上下方向において同一の箇所となるように配置されている。
【００１８】
本実施の形態のテレビジョン装置１０によれば、ディスプレイパネル１２０２の後方に離間した箇所でディスプレイパネル１２０２の左右にそれぞれ配置されているので、従来と異なった趣が生じ、新たなデザインおよび新たな美観を備えたテレビジョン装置１０が得られ、テレビジョン装置１０の購買力を高める上で有利となる。
また、エキサイター４４が設けられた振動板４２の一方の端部寄り箇所がディスプレイパネル１２０２の輪郭内に位置しているため、エキサイター４４と振動板４２の取り付け箇所がディスプレイパネル１２０２の前方に位置する使用者から隠され、デザイン性および美観を高める上で有利となる。
また、振動板４２は、エキサイター４４が設けられた振動板４２の一方の端部よりも他方の端部が前方に位置するようにディスプレイパネル１２０２に対して傾斜して設けられているので、振動板４２のうちディスプレイパネル１２０２の輪郭内に位置した部分から前方に向けて発生された音響は、ディスプレイパネル１２０２の背面側のフレーム１２０４箇所に当たると、斜めに反射され２つの振動板４２の間の隙間から後方に抜ける。したがって、振動板４２とフレーム１２０４箇所とが平行をなして配置されている場合と違って、振動板４２とフレーム１２０４箇所との間で音響が反響して定在波成分が発生し、この定在波成分がディスプレイパネル１２０２の前方に伝達されることがない。
そのため、振動板４２のうちディスプレイパネル１２０２の輪郭外に突出した部分から前方に向けて発生された音響は、前記定在波成分による悪影響を受けることなく明瞭な音響としてディスプレイパネル１２０２の前方に発せられるため、明瞭な音質の音響を得る上で有利となる。
【００１９】
また、振動板４２は、エキサイター４４が設けられた振動板４２の一方の端部よりも他方の端部が前方に位置するようにディスプレイパネル１２０２に対して傾斜して設けられているので、左右の振動板４２から発生される音響がディスプレイパネル１２０２の前方に位置する使用者の頭部（両耳）に対してより効果的に届くことになり、スピーカー４０から発せられた音響による音像の定位感を向上させる上で有利となる。
また、各スピーカー４０は、ディスプレイパネル１２０２の正面からディスプレイパネル１２０２を見た場合に、ディスプレイパネル１２０２の上下の縁に対して振動板４２の上下の縁が上下方向において同一の箇所となるように配置されているので、ディスプレイパネル１２０２と左右のスピーカー４０とがデザイン的に統一され、美観を向上させる上で有利となる。
また、本実施の形態では、振動板４２を透明な材料で形成したので、ディスプレイパネル１２０２の輪郭外に突出する振動板４２の部分は透明となり、したがって、スピーカー４０の存在感を感じさせることがなく、従来とは異なった趣をテレビジョン装置１０に付加することができ、テレビジョン装置１０の購買力を高める上で有利となる。
【００２０】
なお、スピーカー４０は、例えば、基台２２から突設したアームの先端で支持し、あるいは、支柱２４やアーム２６から突設したアームで支持するようにしてもよいが、実施の形態のようにディスプレイパネル１２０２の背面に設けたブラケットで支持するようにすると、テレビジョン装置１０のコンパクト化を図る上で、また、ディスプレイパネル１２０２およびスピーカー４０に浮遊感を与える上で有利となる。
また、ディスプレイパネル１２０２をスタンド２０で支持したテレビジョン装置１０について説明したが、スタンド２０を有せずに床や机に直接置くタイプのテレビジョン装置などにも無論適用可能であるが、実施の形態のようにディスプレイパネル１２０２をスタンド２０で支持したテレビジョン装置１０に適用すると、ディスプレイパネル１２０２およびスピーカー４０に浮遊感を与える上で有利となる。
また、振動板４２は有色な材料を用いて形成してもよいが、実施の形態のように振動板４２を透明な材料で形成すると、ディスプレイパネル１２０２およびスピーカー４０に浮遊感を与える上で有利となる。
【００２１】
また、本実施の形態では、２つのスピーカー４０をディスプレイパネル１２０２の後方に離間した箇所でディスプレイパネル１２０２の左右にそれぞれ配置した場合について説明したが、図１２（Ａ）に正面図で、（Ｂ）に平面図で示すように、２つのスピーカー４０をディスプレイパネル１２０２の後方に離間した箇所でディスプレイパネル１２０２の上部に配置してもよく、あるいは、図１３（Ａ）に正面図で、（Ｂ）に平面図で示すように、２つのスピーカー４０をディスプレイパネル１２０２の後方に離間した箇所でディスプレイパネル１２０２の下部に配置するようにしてもよい。
この場合にも、上記実施の形態と同様に、各スピーカー４０は、ディスプレイパネル１２０２の正面からディスプレイパネル１２０２を見た場合に、エキサイター４４が設けられた振動板４２の高さ方向の一方の端部寄り箇所がディスプレイパネル１２０２の輪郭内に位置し、振動板４２の高さ方向の他方の端部がディスプレイパネル１２０２の輪郭外に突出するように配置され、かつ、振動板４２は、ディスプレイパネル１２０２の中央寄りに位置する幅方向の端部よりも幅方向の他方の端部が前方に位置するようにディスプレイパネル１２０２に対して傾斜して設けられる。
このような実施の形態によっても上記実施の形態と同様な効果が奏される。
【図面の簡単な説明】
【００２２】
【図１】第１の実施の形態のテレビジョン装置１０の全体構成を示す斜視図である。
【図２】支柱２４とアーム２６の結合部分の側面図である。
【図３】図２のＥ矢視図である。
【図４】図３のＦＦ線断面図である。
【図５】図３のＧＧ線断面図である。
【図６】ディスプレイ装置１２の背面を示す斜視図である。
【図７】図６のＡ矢視図である。
【図８】揺動機構３６の構成を示す断面図である。
【図９】（Ａ）は振動板４２に対するエキサイター４４の取り付け構造を示す斜視図、（Ｂ）は（Ａ）の拡大図である。
【図１０】ディスプレイ装置１２およびスピーカー４０の正面図である。
【図１１】信号ボックス７０の構成を示すブロック図である。
【図１２】（Ａ）はディスプレイ装置１２の変形例を示す正面図、（Ｂ）は平面図である。
【図１３】（Ａ）はディスプレイ装置１２の他の変形例を示す正面図、（Ｂ）は平面図である。
【符号の説明】
【００２３】
１０……テレビジョン装置、１２……ディスプレイ装置、１２０２……ディスプレイパネル、４０……スピーカー、４２……振動板、４４……エキサイター。
【図１】
0004645423.tif 000002
【図２】
0004645423.tif 000003
【図３】
0004645423.tif 000004
【図４】
0004645423.tif 000005
【図５】
0004645423.tif 000006
【図６】
0004645423.tif 000007
【図７】
0004645423.tif 000008
【図８】
0004645423.tif 000009
【図９】
0004645423.tif 000010
【図１０】
0004645423.tif 000011
【図１１】
0004645423.tif 000012
【図１２】
0004645423.tif 000013
【図１３】
0004645423.tif 000014